(57)【要約】【課題】  プラズマディスプレイパネルを提供する。【解決手段】  相互間に放電ギャップほど離隔されたＸ電極及びＹ電極よりなる複数の維持電極対が下側に形成され、維持電極対は、第１誘電体層によって覆われる第１基板と、第１基板と対向するように配置されるものであって、維持電極対と交差するように上側にアドレス電極が形成され、アドレス電極は、第２誘電体層によって覆われる第２基板と、第２誘電体層の上側にそれぞれのアドレス電極を介して形成された第１隔壁と、第１隔壁等と交差するように形成された第２隔壁とを備えて放電セルで区画するものであって、内側に蛍光体層が形成された隔壁と、を含み、Ｘ電極及びＹ電極は、バス電極と、第２隔壁から所定間隔で離隔され、放電セルに対応するように配置された突出部と、突出部から第１隔壁にそれぞれ対応するように延長形成され、バス電極に接続される延長部と、を備える透明電極をそれぞれ含む。【選択図】  図４
2005235768.tif 000002
【特許請求の範囲】
【請求項１】
相互間に放電ギャップほど離隔されたＸ電極及びＹ電極よりなる複数のの維持電極対が下側に形成され、前記維持電極対は、第１誘電体層によって覆われる第１基板と、
前記第１基板と対向するように配置されるものであって、前記維持電極対と交差するように上側にアドレス電極が形成され、前記アドレス電極は、第２誘電体層によって覆われる第２基板と、
前記第２誘電体層の上側にそれぞれのアドレス電極を介して形成された第１隔壁と、前記第１隔壁と交差するように形成された第２隔壁とを備えて放電セルで区画するものであって、内側に蛍光体層が形成された隔壁と、を含み、
前記Ｘ電極及びＹ電極は、バス電極と、前記第２隔壁から所定間隔で離隔され、前記放電セルに対応するように配置された突出部と、前記突出部からそれぞれ延長形成され、前記バス電極に接続される延長部と、を備える透明電極をそれぞれ含んでなることを特徴とするプラズマディスプレイパネル。
【請求項２】
前記バス電極は、前記第２隔壁上に対応するように配置されたことを特徴とする請求項１に記載のプラズマディスプレイパネル。
【請求項３】
前記第２隔壁は、二重隔壁より形成されたことを特徴とする請求項２に記載のプラズマディスプレイパネル。
【請求項４】
前記Ｘ電極の突出部と前記バス電極との間と、前記Ｙ電極の突出部と前記バス電極との間とは、所定間隔で離隔されたことを特徴とする請求項１に記載のプラズマディスプレイパネル。
【請求項５】
前記Ｘ電極の突出部と前記第２隔壁との間隔と、前記Ｙ電極の突出部と前記第２隔壁との間隔とは、それぞれ２０〜１００μｍであることを特徴とする請求項１に記載のプラズマディスプレイパネル。
【請求項６】
前記隣接した第２隔壁間のピッチは、７５０〜１１００μｍであることを特徴とする請求項５に記載のプラズマディスプレイパネル。
【請求項７】
前記隣接した第１隔壁間のピッチは、前記隣接した第２隔壁間のピッチの１／３であることを特徴とする請求項５に記載のプラズマディスプレイパネル。
【請求項８】
前記Ｘ電極とＹ電極とには、前記突出部から前記バス電極側に延長形成され、前記放電セルに対応するように配置された放電増大部がそれぞれさらに備えられたことを特徴とする請求項１に記載のプラズマディスプレイパネル。
【請求項９】
前記Ｘ電極とＹ電極とは、相互対称であることを特徴とする請求項８に記載のプラズマディスプレイパネル。
【請求項１０】
前記延長部は、前記第１隔壁に対応するように配置されたことを特徴とする請求項１に記載のプラズマディスプレイパネル。
【請求項１１】
前記延長部の幅は、前記第１隔壁の幅より小さいかまたは同じであることを特徴とする請求項１０に記載のプラズマディスプレイパネル。
【請求項１２】
前記第１誘電体層の下面には、保護層がさらに形成されたことを特徴とする請求項１に記載のプラズマディスプレイパネル。
【発明の詳細な説明】
【技術分野】
【０００１】
本発明は、プラズマディスプレイパネルに係り、さらに詳細には誤放電を防止し、アドレス電圧マージンを確保して放電効率を向上させうるプラズマディスプレイパネルに関する。
【背景技術】
【０００２】
通常、プラズマディスプレイパネルは、密閉された空間に設置された電極間にガスが充填された状態で電極に所定の電圧を印加してグロー放電を生じさせ、グロー放電時に発生する紫外線によって所定のパターンに形成された蛍光体層を励起させて画像を形成する。
【０００３】
前記プラズマディスプレイパネルは、駆動方法によって直流型や交流型に分類される。そして、電極構造によって放電に必要な最小２個の電極を有するものと、３個の電極を有するものとに区分される。前記直流型の場合には、補助放電を誘導するために補助電極が添加され、交流型の場合には、アドレス放電と維持放電とを分離してアドレス速度を向上させるためにアドレス電極が導入される。
【０００４】
また、交流型は、放電をなす電極の配置によって対向型電極構造と面放電型電極構造とに分類されうるが、前記対向型電極構造の場合には、放電を形成する２個の維持電極が対向する基板にそれぞれ位置して、放電がパネルの垂直軸に形成される構造であり、面放電型電極構造は、放電を形成する２個の維持電極が同じ基板上に位置して、放電が基板の一平面上で形成される構造である。
【０００５】
このようなプラズマディスプレイパネルは、基板間に放電セルが設けられるが、図１には、単位放電セルに対する断面構造の一例を表した。
【０００６】
図面を参照すれば、放電セル１０において、その上側に位置した第１基板１１の下面には、Ｘ電極１３とＹ電極１４の対よりなる維持電極１２が形成されている。前記Ｘ電極１３及びＹ電極１４は、それぞれ共通電極及び走査電極の役割を行うものであって、相互間は放電ギャップほど離隔されている。前記Ｘ電極１３及びＹ電極１４は、それぞれ透明電極１３ａ，１４ａと、これらの下面に形成されて電圧を印加するバス電極１３ｂ，１４ｂとより構成されている。そして、前記維持電極１２は、第１誘電体層１５によって埋め込まれており、前記第１誘電体層１５の下面には、保護層１６が形成されている。
【０００７】
そして、前記第１基板１１と対向するように第２基板２１が配置されており、前記第２基板２１上にはアドレス電極２２が形成されている。前記アドレス電極２２は、第２誘電体層２３によって埋め込まれており、前記第２誘電体層２３上には、蛍光物質で蛍光体層２４が形成されている。一方、このように構成された放電セル１０内には、放電ガスが注入される。
【０００８】
前記のような構造を有する放電セル１０において、アドレス電圧がアドレス電極２２と維持電極１２のＹ電極１４との間に印加されてアドレシングされれば、放電が開始され、放電セル１０に所定の壁電荷が形成される。このような状態で維持電圧が維持電極１２のＸ電極１３とＹ電極１４との間に印加されれば、放電が維持される。放電が起これば、電荷が発生するが、このような電荷が放電ガスと衝突することによってプラズマが形成されて紫外線が発生する。このような紫外線の発生によって蛍光体層２４の蛍光物質が励起されることによって発光されて画像が表示される。
【０００９】
一方、プラズマディスプレイパネルに設けられる放電セルに配置される維持電極対は、色々な形態の構造よりなるが、その一例として、図２に示されたものがある。
【００１０】
図示されたように、維持電極３１のＸ電極３２は、バス電極３２ｂと、放電セル３０にそれぞれ相応するように配置されるように離隔されて前記バス電極３２ｂに接続された透明電極３２ａとを備え、これと同様に、Ｙ電極３３も、バス電極３３ｂと、放電セル３０にそれぞれ相応するように配置されるように離隔されて前記バス電極３３ｂに接続された透明電極３３ａとを備える。
【００１１】
そして、一つの放電セル３０に対して前記Ｘ電極３２の透明電極３２ａとＹ電極３３の透明電極３３ａとは、それぞれ突出して互いに放電ギャップほど離隔されており、前記透明電極３２ａ，３３ａに電圧を印加するバス電極３２ｂ，３３ｂが放電セル３０内に位置した構造よりなっている。しかし、このような構造では、維持電極３１と隔壁３４の内側に形成された蛍光体層との間と所定間隔ほど離隔されることによって、蛍光体層によって電場が歪曲されて誤放電が発生することは多少防止されうるが、不透明なバス電極３２ｂ，３３ｂによって開口率が低下する問題がある。
【００１２】
一方、パネルの開口率を向上させるための一方案として、図３に示されたように、設けられた維持電極対が放電セルに配置されうる。
【００１３】
図示されたように、Ｘ電極４２及びＹ電極４３の対より構成された維持電極４１において、透明電極４２ａ，４３ａがそれぞれΤ字状になっている。そして、一つの放電セル４０に対して前記Ｘ電極４２の透明電極４２ａとＹ電極４３の透明電極４３ａとは、それぞれ突出して互いに放電ギャップほど離隔されている。一方、前記透明電極４２ａ，４３ａに電圧を印加するバス電極４２ｂ，４３ｂは、非放電領域である隔壁４４に対応するように位置することによって、開口率を高めうるようになっている。
【００１４】
しかし、このような構造では、透明電極４２ａ，４３ａにおいて、バス電極４２ｂ，４３ｂと接続される部位が隔壁４４の内側に形成された蛍光体層に近接して位置することによって、蛍光体層による電場の歪曲現象が発生し、不要な壁電荷が多くたまって壁電荷の制御が容易ではない。特に、放電セル４０が点灯された後に消灯させるために壁電荷を初期化する放電時に壁電荷の制御が容易ではないが、これにより、誤放電が発生する可能性が高まる。
【００１５】
したがって、前述したように、誤放電を防止して安定した放電を行え、開口率も確保できる維持電極の設計が要求される。
【発明の開示】
【発明が解決しようとする課題】
【００１６】
本発明が解決しようとする目的は、維持電極対の構造を改善することによって、誤放電を防止し、アドレス電圧マージンを確保して放電効率を向上させうるプラズマディスプレイパネルを提供することである。
【課題を解決するための手段】
【００１７】
前記目的を解決するための本発明によるプラズマディスプレイパネルは、相互間に放電ギャップほど離隔されたＸ電極及びＹ電極よりなる複数の維持電極対が下側に形成され、前記維持電極対は、第１誘電体層によって覆われる第１基板と、前記第１基板と対向するように配置されるものであって、前記維持電極対と交差するように上側にアドレス電極が形成され、前記アドレス電極は、第２誘電体層によって覆われる第２基板と、前記第２誘電体層の上側にそれぞれのアドレス電極を介して形成された第１隔壁と、前記第１隔壁と交差するように形成された第２隔壁とを備えて放電セルで区画するものであって、内側に蛍光体層が形成された隔壁と、を含み、前記Ｘ電極及びＹ電極は、バス電極と、前記第２隔壁から所定間隔ほど離隔され、前記放電セルに対応するように配置された突出部と、前記突出部から前記第１隔壁にそれぞれ対応するように延長形成され、前記バス電極に接続される延長部と、を備える透明電極をそれぞれ含んでなることを特徴とする。
つまり、前記目的を解決するための本発明によるプラズマディスプレイパネルは、互いに対向して配置された第１の基板と第２の基板とを備え、前記第１の基板の前記第２の基板に臨む側に、Ｘ電極及びＹ電極よりなる維持電極対が形成され、前記Ｘ電極と前記Ｙ電極との間は、互いに放電ギャップだけ離間され、前記維持電極対は、前記第２の基板に臨む側において第１誘電体層によって覆われており、前記第２の基板の前記第１の基板に臨む側に、前記維持電極の対が互いに向き合っている方向に沿ってアドレス電極が延在形成され、前記アドレス電極は、前記第１の基板に臨む側において第２誘電体層によって覆われており、前記第２誘電体層の前記第１の基板に臨む側に、前記アドレス電極が延在する方向に、それぞれ前記アドレス電極を間に挟むようにして形成された少なくとも２つの第１隔壁と、前記維持電極対を間に挟むようにして前記第１隔壁と交差するように形成された少なくとも２つの第２隔壁とが設けられ、前記第１の隔壁と前記第２の隔壁とで囲まれた空間が放電セルとして形成され、前記放電セルの内側に蛍光体層が形成され、前記Ｘ電極及びＹ電極は、前記第２の隔壁の側に、それもより好ましくは概ね前記第２の隔壁の位置にバス電極をそれぞれ有するとともに、前記第２の隔壁から所定間隔だけ離間させて前記放電セルに重なるように配置された突出部と、前記突出部から、前記第２隔壁に向かって、それも好ましくは前記第１隔壁に沿って前記第１隔壁の位置に延出形成されて前記第２隔壁側の前記バス電極に接続される延長部と、を備える透明電極をそれぞれさらに備えることを特徴とする
前記目的を解決するための本発明によるプラズマディスプレイパネルは、互いに対向して配置された第１の基板と第２の基板とを備え、前記第１の基板の前記第２の基板に臨む側に、Ｘ電極及びＹ電極よりなる複数の維持電極対が列状に配列形成され、前記Ｘ電極と前記Ｙ電極との間は、互いに放電ギャップだけ離間され、前記維持電極対は、前記第２の基板に臨む側において第１誘電体層によって覆われており、前記第２の基板の前記第１の基板に臨む側に、前記維持電極対の列と交差するようにかつ前記維持電極の対が互いに向き合っている方向に沿ってアドレス電極が延在形成され、前記アドレス電極は、前記第１の基板に臨む側において第２誘電体層によって覆われており、前記第２誘電体層の前記第１の基板に臨む側に、前記アドレス電極が延在する方向に、それぞれ前記アドレス電極を間に挟むようにして形成された複数の第１隔壁と、前記維持電極対を間に挟むようにして前記第１隔壁と交差するように前記維持電極対が並ぶ方向に延在形成された複数の第２隔壁とが設けられ、前記第１の隔壁と前記第２の隔壁とで囲まれた空間が放電セルとして形成され、前記放電セルの内側に蛍光体層が形成され、前記Ｘ電極及びＹ電極は、前記維持電極対が並ぶ方向に該Ｘ電極及び該Ｙ電極をそれぞれつないで延びるバス電極を前記第２の隔壁の側にそれぞれ備えるとともに、前記バス電極から、互いに対向する相手側の電極に向かって、それも好ましくは前記第１の隔壁に沿って前記第１の隔壁の位置に延出形成された延長部と、前記延長部の先端に、前記放電セルに重なるように配置形成された突出部とを備えた透明電極をそれぞれさらに備えることを特徴とする。
【発明の効果】
【００１８】
本発明によるプラズマディスプレイパネルは、Ｘ電極及びＹ電極の透明電極において、突出部と第２隔壁との間が所定間隔ほどそれぞれ離隔されることによって、誤放電を防止し、アドレス電圧マージンを確保して放電効率を向上させることができる。そして、前記透明電極に接続されるバス電極が非放電領域に配置されることで開口率をさらに高めることができる。
【発明を実施するための最良の形態】
【００１９】
以下、添付された図面を参照して本発明を詳細に説明する。
【００２０】
図４には、本発明の一実施例によるプラズマディスプレイパネルについての分離斜視図が示されており、図５には、図４の維持電極対が放電セルに配置された状態を示す平面図が示されている。そして、図６には、図４についての側断面図が示されている。
【００２１】
図示されたプラズマディスプレイパネル１００には、第１基板１１１と前記第１基板１１１に対向して配置される第２基板１３１とが設けられている。前記第１基板１１１において、第２基板１３１に対向する面には、複数個の維持電極１２１対が配列されて形成されている。前記維持電極１２１対は、Ｘ電極１２２とＹ電極１２５とより構成され、前記Ｘ電極１２２は共通電極に、Ｙ電極１２５は走査電極にそれぞれ割り当てることができる。
【００２２】
前記第Ｘ電極１２２及びＹ電極１２５は、それぞれ透明導電体であるＩＴＯ（Ｉｎｄｉｕｍ Ｔｉｎ Ｏｘｉｄｅ）より形成された透明電極１２３，１２６と、前記透明電極１２３，１２６の各一側面に形成されたバス電極１２４，１２７より形成されている。前記Ｘ電極１２２及びＹ電極１２５についての詳細な説明は後述する。
【００２３】
そして、前記第１基板１１１には、維持電極１２１対を覆うように形成された第１誘電体層１１２と、前記第１誘電体層１１２を覆うようにＭｇＯより形成された保護層１１３と、が設けられている。
【００２４】
前記第１基板１１１と対向する第２基板１３１において、前記第１基板１１１に対向する面には、アドレス電極１３２が維持電極１２１に交差するように配列されて形成されている。
【００２５】
前記アドレス電極１３２は、第２誘電体層１３３によって覆われており、前記第２誘電体層１３３の上部には隔壁１３４が形成されている。前記隔壁１３４は、複数個の放電セル１３５を画成し、隣接した放電セル１３５とのクロストークを防止する。
【００２６】
本発明の実施例による隔壁１３４は、所定間隔で離隔されて形成された第１隔壁１３４ａと、前記第１隔壁１３４ａの各終端側面から前記第１隔壁１３４ａと交差する方向に延長形成された第２隔壁１３４ｂとを含む。ここで、前記第１隔壁１３４ａは、一つのアドレス電極１３２を介して、これと平行に配置される。
【００２７】
そして、前記第２隔壁１３４ｂは、二重隔壁より形成されることが望ましい。前記のように、二重隔壁より形成されれば、後述するバス電極が配置されうるほどに非放電領域が十分に確保されうる。また、前記二重隔壁間の空間を通じて排気が円滑になされる。
【００２８】
前記のように、第１、２隔壁１３４ａ，１３４ｂが形成されると、マトリックス状に４面で閉鎖された放電セル１３５が画成される。前記のように、マトリックス状に画成されれば、高精細化及び輝度、効率を高めうる利点がある。一方、前記隔壁は、前述したところに限定されず、放電セルを画素の配列パターンで区画できる構造であれば、何れも可能である。
【００２９】
前記隔壁１３４の内側面と前記隔壁１３４で囲まれた第２誘電体層１３３の上面（隔壁１３４によって画成された空間に臨む側の面）とには、蛍光体が塗布されて蛍光体層１３６が形成されている。前記蛍光体の色相は、カラー画面を具現するために赤色、緑色、青色に大別され、前記蛍光体の色相によって、赤色、緑色、青色の蛍光体層を構成する。
【００３０】
そして、前記蛍光体層１３６の色相によって、放電セル１３５は、赤色、緑色、青色の放電セル１３５Ｒ，１３５Ｇ，１３５Ｂよりなり、３個の隣接した赤色、緑色、青色の放電セル１３５Ｒ，１３５Ｇ，１３５Ｂは、単位ピクセルを構成する。前記単位ピクセルは、正方形よりなる場合には、放電セル１３５において、隣り合う第１隔壁１３４ａ間のピッチは、隣り合う第２隔壁１３４ｂ間のピッチの１／３に設定されうる。しかし、これに限定されるものではない。
【００３１】
前記放電セル１３５には、ヘリウム（Ｈｅ）、ネオン（Ｎｅ）、キセノン（Ｘｅ）が混合された放電ガスが充填される。前記のように放電ガスが充填された状態で、第１及び２基板１１１，１３１のエッジに形成されたフリットガラスのような密封材によって第１及び２基板１１１，１３１が互いに封合されて結合される。
【００３２】
一方、本発明の一特徴によれば、図４及び図５に示されたように、維持電極１２１のＸ電極１２２は、突出部１２３ａとそれから延長形成された延長部１２３ｂとを備える透明電極１２３と、前記透明電極１２３に接続されるバス電極１２４と、を含む。前記透明電極１２３の突出部１２３ａは、所定の幅と長さとを有し、前記第２隔壁１３４ｂと所定間隔で離隔されて放電セル１３５の中央側に配置されている。前記突出部１２３ａにおいて、放電セル１３５の縁（隔壁）に対応する端部には、それぞれ所定の幅と長さとで延長形成されかつ所定間隔で離隔された延長部１２３ｂが形成されている。前記延長部１２３ｂは、第１隔壁１３４ａにそれぞれ対応するように配置され、前記延長部１２３ｂの端部は、一つのバス電極１２４に接続されているので、前記バス電極１２４と突出部１２３ａとの間には、開口部が形成された構造になっている。ここで、前記延長部１２３ｂの幅は、前記第１隔壁１３４ａの幅より小さいかまたは同じであることが望ましい。
【００３３】
そして、前記Ｙ電極１２５も、これと同様に、突出部１２６ａとこれから延長形成された延長部１２６ｂを備える透明電極１２６と、前記透明電極１２６に接続されるバス電極１２７とを含む。前記Ｘ電極１２２において、放電セル１３５の中央側に配置された透明電極１２３の突出部１２３ａの端部と、前記Ｙ電極１２５において、放電セル１３５の中央側に配置された透明電極１２６の突出部１２６ａの端部とは、互いに対向して所定の放電ギャップＧをなす。
【００３４】
一方、前記透明電極１２３，１２６に接続されるバス電極１２４，１２７は、パネルの開口率を高めるために第２隔壁１３４ｂ上の非放電領域に配置されている。前記バス電極１２４，１２７は、透明電極１２３，１２６のライン抵抗を補完するために、ＡｇやＡｕのような金属よりなり、前記バス電極１２４，１２７には、黒色の添加剤を含めてコントラストを向上させるようにすることもある。
【００３５】
前記のように、Ｘ電極１２２及びＹ電極１２５の透明電極１２３，１２６において、突出部１２３ａ，１２６ａと第２隔壁１３４ｂとの間が所定間隔ほどそれぞれ離隔される一方、前記バス電極１２４，１２７が、非放電領域に配置されることにより、放電セル１３５のエッジ側に対応する領域が開口部より形成された構造よりなる。
【００３６】
このような構造は、透明電極１２３，１２６と第２隔壁１３４の内側に形成された蛍光体層１３６との間を所定間隔ほど離隔して維持させることによって、透明電極１２３，１２６に対応するようにたまる壁電荷と蛍光体層１３６との間の相互作用によって電場が歪曲されて誤放電が発生することを防止する。また、放電セル１３５内に生成された壁電荷が突出部１２３ａ，１２６ａとバス電極１２４，１２７との間の領域に不要に溜まらなくなることによって、電荷の生成及び消滅に及ぼす影響が最小化されて壁電荷の制御が容易になる。このように壁電荷の制御が容易になれば、特に、放電セル１３５が点灯された後に消灯させるために壁電荷を初期化する放電時にさらに安定的な放電がなされる。
【００３７】
しかも、前記Ｘ電極１２２及びＹ電極１２５が前記のような構造とされることによって、アドレス電圧マージンが十分に確保されて放電効率に有利になりうる。ここで、アドレス電圧マージンとは、安定した放電状態を維持できるアドレス電圧の最大値と最小値との差を称す。また、前記不透明なバス電極１２４，１２７は、非放電領域に配置されることによって、さらに高い開口率が確保される。
【００３８】
このような効果は、透明電極１２３，１２６の突出部１２３ａ，１２６ａと第２隔壁１３４ｂとの間の間隔のｄ値によって変わりうるので、前記ｄ値は、最適に設定される必要がある。ここで、前記突出部１２３ａ，１２６ａと第２隔壁１３４ｂとの間の間隔のｄ値は、図５に示されたように、前記突出部１２３ａ，１２６ａと第２隔壁１３４ｂとの間の最短長、すなわち、開口部の長さと定義する。
【００３９】
その一例として、アドレス電圧マージンを十分に確保できるｄ値を、図７及び図８、表１及び表２に基づいて設定することを説明すると、次のようになる。
【００４０】
図７は、放電セルにおいて、第２隔壁間のピッチが１１００μｍである時、ｄ値による維持電圧Ｖｓとアドレス電圧Ｖａとの間の関係を表すグラフであり、表１は、図７において、ｄ値と維持電圧によるアドレス電圧の最小値とを整理して表すものである。
【００４１】
【表１】
2005235768.tif 000003
【００４２】
前記図７及び表１を参照すれば、アドレス電圧の最大値は、８０Ｖと一定であり、維持電圧を基準とする時、一定の維持電圧値で、ｄ値が増加するにつれてアドレス電圧の最小値は、次第に減少してから増加する傾向を表す。これにより、アドレス電圧の最大値と最小値との差であるアドレス電圧マージンは、ｄ値が増加するにつれて次第に増加し、再び減少する傾向を表す。特に、ｄ値が０、１０、１２０μｍでは、アドレス電圧マージンが明確に減ることを確認できる。したがって、前記のような結果からｄ値は、２０〜１００μｍに設定されることが望ましい。また、前記ｄ値が２０〜１００μｍの範囲では、アドレス電圧が約６０Ｖ以下でもパネルが安定的に駆動されうることが確認できる。
【００４３】
一方、図８は、放電セルにおいて、第２隔壁間のピッチが７５０μｍである時、ｄ値による維持電圧Ｖｓとアドレス電圧Ｖａとの間の関係を表すグラフであり、表２は、図８において、ｄ値と維持電圧によるアドレス電圧の最小値とを整理して表すものである。
【００４４】
【表２】
2005235768.tif 000004
【００４５】
前記図８及び表２を参照すれば、前述した図７及び表１のように、アドレス電圧の最大値は８０Ｖと一定であり、維持電圧を基準とする時、一定の維持電圧値で、ｄ値が増加するにつれてアドレス電圧の最小値は次第に減少してから増加する傾向を表す。これにより、アドレス電圧の最大値と最小値との差であるアドレス電圧マージンは、ｄ値が増加するにつれて次第に増加し、再び減少する傾向を表す。たとえ、第２隔壁間のピッチが１１００μｍである場合より、アドレス電圧マージンが多少高いとしても、ｄ値が２０〜１００μｍの範囲でアドレス電圧が約７０Ｖ以下でもパネルが安定的に駆動されうることが分かる。したがって、パネルが安定的に駆動されうるアドレス電圧を７０Ｖに設定すれば、第２隔壁間のピッチが７５０〜１１００μｍの範囲でｄ値は２０〜１００μｍに設定することができる。
【００４６】
一方、維持電極１２１のＸ電極１２２及びＹ電極１２５において、透明電極１２３，１２６の突出部１２３ａ，１２６ａには、図９に示されたように、放電増大部１２３ｃ，１２６ｃがそれぞれさらに設けられてもよい。
【００４７】
前記放電増大部１２３ｃ，１２６ｃは、前記突出部１２３ａ，１２６ａからバス電極１２４，１２７側に所定長さと幅とでそれぞれ延長形成されている。前記放電増大部１２３ｃ，１２６ｃの端部とバス電極１２４，１２７との間は、それぞれ所定間隔ほど離隔されており、前記放電増大部１２３ｃ，１２６ｃの両側は、隣接した延長部１２３ｂ，１２６ｂとそれぞれ所定間隔ほど離隔されている。
【００４８】
前記Ｘ電極１２２の放電増大部１２３ｃとＹ電極１２５の放電増大部１２６ｃとは、同じ形状よりなり、Ｘ電極１２２とＹ電極１２５とは、相互対称であるが、これに必ずしも限定されるものではない。前記のように、Ｘ電極１２２及びＹ電極１２５の透明電極１２３，１２６に放電増大部１２３ｃ，１２６ｃがさらに備えられることによって、透明電極１２３，１２６の面積がそれぞれ増大し、放電がさらに円滑になされうる。
【００４９】
本発明は、添付された図面に示された一実施例を参考として説明されたが、これは例示的なものに過ぎず、当業者ならば、これから多様な変形及び均等な他の実施例が可能であることが分かる。したがって、本発明の真の保護範囲は、特許請求の範囲によって決定されなければならない。
【産業上の利用可能性】
【００５０】
本発明は、誤放電が防止され、アドレス電圧マージンが十分に確保されて放電効率が向上されうるプラズマディスプレイパネルに関わる技術分野に適用可能である。
【図面の簡単な説明】
【００５１】
【図１】従来の一例によるプラズマディスプレイパネルについての側断面図である。
【図２】従来による維持電極対が放電セルに配置された一例を示す平面図である。
【図３】従来による維持電極対が放電セルに配置された他の例を示す平面図である。
【図４】本発明の一実施例によるプラズマディスプレイパネルについての部分斜視図である。
【図５】図４の維持電極対が放電セルに配置された状態を示す平面図である。
【図６】図４についての側断面図である。
【図７】放電セルを区画する第２隔壁間のピッチがそれぞれ１１００μｍである時、透明電極と第２隔壁との間隔による維持電圧とアドレス電圧との関係を表すグラフである。
【図８】放電セルを区画する第２隔壁間のピッチがそれぞれ７５０μｍである時、透明電極と第２隔壁との間隔による維持電圧とアドレス電圧との関係を表すグラフである。
【図９】他の例による維持電極対が放電セルに配置された状態を示す平面図である。
【符号の説明】
【００５２】
１００    プラズマディスプレイパネル
１１１    第１基板
１１２    第１誘電体層
１１３    保護層
１２１    維持電極
１２２    Ｘ電極
１２３，１２６    透明電極
１２３ａ，１２６ａ    突出部
１２３ｂ，１２６ｂ    延長部
１２４，１２７    バス電極
１２５    Ｙ電極
１３１    第２基板
１３２    アドレス電極
１３３    第２誘電体層
１３４    隔壁
１３４ａ，１３４ｂ    第１及び第２隔壁
１３５    放電セル
１３５Ｂ，１３５Ｇ，１３５Ｒ    青色、緑色、赤色の放電セル
１３６    蛍光体層
Ｇ    ギャップ
【図１】
2005235768.tif 000005
【図２】
2005235768.tif 000006
【図３】
2005235768.tif 000007
【図４】
2005235768.tif 000008
【図５】
2005235768.tif 000009
【図６】
2005235768.tif 000010
【図７】
2005235768.tif 000011
【図８】
2005235768.tif 000012
【図９】
2005235768.tif 000013